(57)【特許請求の範囲】
【請求項１】
燃料タンクと前記燃料タンクから発生する蒸発ガスを吸着するキャニスタとを連通する第１連通路と、
前記キャニスタと内燃機関の吸気通路とを連通する第２連通路と、
前記キャニスタに形成されて、前記キャニスタの内部と外部とを連通する連通孔と、
前記連通孔を介して前記キャニスタ及び前記燃料タンクに負圧を発生させる負圧発生手段と、
前記キャニスタの内圧を検出する圧力検出手段と、
前記第１連通路に介装され、前記燃料タンクと前記キャニスタとの連通を開閉するタンク開封鎖手段と、
前記第２連通路に介装され、前記吸気通路と前記キャニスタとの連通を開閉する連通路開閉手段と、を備える内燃機関の燃料蒸発ガス排出抑止装置において、
前記圧力検出手段の検出値に基づいて前記キャニスタと前記燃料タンクとの漏れを判定する漏れ判定手段を有し、
前記漏れ判定手段は、前記キャニスタ及び前記燃料タンクの漏れ判定実施前に前記負圧発生手段を停止させて前記タンク開封鎖手段を閉から開とした際の前記圧力検出手段の検出値である前記キャニスタの内圧変化に基づいて前記燃料タンクの漏れ判定を実施することを特徴とする内燃機関の燃料蒸発ガス排出抑止装置。
【請求項２】
前記漏れ判定手段は、前記圧力検出手段の検出値の変化が所定値以上の際に、前記燃料タンクに洩れなしと判定することを特徴とする、請求項１に記載の内燃機関の燃料蒸発ガス排出抑止装置。
【請求項３】
前記燃料タンクの圧力を検出する圧力センサを更に備え、
前記漏れ判定手段は、前記キャニスタ及び前記燃料タンクの漏れ判定実施前に前記負圧発生手段を停止させて前記タンク開封鎖手段を閉から開とした際の前記圧力検出手段の検出値である前記キャニスタの内圧変化、及び、前記圧力センサの検出値であるタンクの内圧変化に基づいて前記燃料タンクの漏れ判定を実施することを特徴とする、請求項１又は２に記載の内燃機関の燃料蒸発ガス排出抑止装置。
【請求項４】
前記漏れ判定手段は、前記圧力センサの検出値の変化が所定値以上の際に、前記燃料タンクに洩れなしと判定することを特徴とする、請求項３に記載の内燃機関の燃料蒸発ガス排出抑止装置。
【請求項５】
前記漏れ判定手段は、前記燃料タンクに洩れなしと判定した後は、前記タンク開封鎖手段を閉として負圧発生手段が作動された状態で前記キャニスタの漏れ判定を実施することを特徴とする、請求項２に記載の内燃機関の燃料蒸発ガス排出抑止装置。
【発明の詳細な説明】
【技術分野】
【０００１】
本発明は、内燃機関の燃料蒸発ガス排出抑止装置に係り、詳しくは、燃料蒸発ガス排出抑止装置の漏れを検出するための制御に関する。
【背景技術】
【０００２】
従来、燃料タンク内で蒸発した燃料蒸発ガスの大気への放出を防止するために、燃料タンクと内燃機関の吸気通路とを連通するパージ通路に介装するキャニスタと、キャニスタ内を大気に開放又は封鎖する切替弁と、燃料タンクとキャニスタとを連通又は封鎖する封鎖弁と、パージ通路の連通と遮断とを行うパージソレノイドバルブとからなる内燃機関の燃料蒸発ガス排出抑止装置が設けられている。燃料蒸発ガス排出抑止装置は、給油時には切替弁と封鎖弁を開きパージソレノイドを閉じ燃料蒸発ガスをキャニスタに向けて流出するようにし、燃料蒸発ガスをキャニスタにて吸着させ、内燃機関の運転時に切替弁とパージソレノイドバルブを開きキャニスタに吸着させた燃料蒸発ガスを内燃機関の吸気通路に排出して燃料蒸発ガスを処理している。また、燃料蒸発ガス排出抑止装置は、燃料蒸発ガスが当該装置外へ漏れることを防止するために当該装置からの漏れ検出を行っている。
【０００３】
漏れ検出は、従来の内燃機関の駆動力のみで走行する車両では、内燃機関の運転時に切替弁、封鎖弁及びパージソレノイドバルブの開閉を制御し、内燃機関の吸気通路に発生する負圧によりパージ通路及び燃料タンク内を負圧にし、当該負圧の保持或いは不保持により漏れ判定を実施し漏れの有無を検出するようにしている。
しかしながら、内燃機関の他に電動機を備え、主に電動機の駆動力により走行するプラグインハイブリッド車等の車両では、燃費向上のために内燃機関が運転されることが非常に少なく、内燃機関の運転時に燃料蒸発ガス排出抑止装置の漏れ検出を行おうとすると漏れ検出の機会が少なくなり好ましいことではない。
【０００４】
このようなことから、燃料蒸発ガス排出抑止装置内を減圧可能な負圧ポンプを備え、車両のキーＯＦＦ中に、負圧ポンプの作動と、切替弁、封鎖弁及びパージソレノイドバルブの開閉を制御して燃料蒸発ガス排出抑止装置の漏れ検出を行う技術が開発されている（特許文献１）。
【先行技術文献】
【特許文献】
【０００５】
【特許文献１】特許４１０７０５３号公報
【発明の概要】
【発明が解決しようとする課題】
【０００６】
上記特許文献１の蒸発燃料処理装置では、初期の燃料タンクの漏れ検出として、燃料タンクに備える圧力センサにより燃料タンク内の圧力を検出し、圧力センサの検出値に基づいて燃料タンクの漏れを判定している。
しかしながら、圧力センサの異常等で圧力センサの基準であるゼロ点が変化してしまうと、圧力センサからの検出値が異常となり、タンク内圧力を正確に検出することができなくなり、ひいては燃料タンクの漏れ判定を正常に行うことができなくなる虞がある。
【０００７】
本発明は、この様な問題を解決するためになされたもので、その目的とするところは、確実に燃料タンクの漏れ検出を実施することのできる内燃機関の燃料蒸発ガス排出抑止装置を提供することにある。
【課題を解決するための手段】
【０００８】
上記の目的を達成するために、請求項１の内燃機関の燃料蒸発ガス排出抑止装置では、燃料タンクと前記燃料タンクから発生する蒸発ガスを吸着するキャニスタとを連通する第１連通路と、前記キャニスタと内燃機関の吸気通路とを連通する第２連通路と、前記キャニスタに形成されて、前記キャニスタの内部と外部とを連通する連通孔と、前記連通孔を介して前記キャニスタ及び前記燃料タンクに負圧を発生させる負圧発生手段と、前記キャニスタの内圧を検出する圧力検出手段と、前記第１連通路に介装され、前記燃料タンクと前記キャニスタとの連通を開閉するタンク開封鎖手段と、前記第２連通路に介装され、前記吸気通路と前記キャニスタとの連通を開閉する連通路開閉手段と、を備える内燃機関の燃料蒸発ガス排出抑止装置において、前記圧力検出手段の検出値に基づいて前記キャニスタと前記燃料タンクとの漏れを判定する漏れ判定手段を有し、前記漏れ判定手段は、前記キャニスタ及び前記燃料タンクの漏れ判定実施前に前記負圧発生手段を停止させて前記タンク開封鎖手段を閉から開とした際の前記圧力検出手段の検出値である前記キャニスタの内圧変化に基づいて前記燃料タンクの漏れ判定を実施することを特徴とする。
【０００９】
また、請求項２の内燃機関の燃料蒸発ガス排出抑止装置では、請求項１において、前記漏れ判定手段は、前記圧力検出手段の検出値の変化が所定値以上の際に、前記燃料タンクに洩れなしと判定することを特徴とする。
また、請求項３の内燃機関の燃料蒸発ガス排出抑止装置では、請求項１又は２において、前記燃料タンクの圧力を検出する圧力センサを更に備え、前記漏れ判定手段は、前記キャニスタ及び前記燃料タンクの漏れ判定実施前に前記負圧発生手段を停止させて前記タンク開封鎖手段を閉から開とした際の前記圧力検出手段の検出値である前記キャニスタの内圧変化、及び、前記圧力センサの検出値であるタンクの内圧変化に基づいて前記燃料タンクの漏れ判定を実施することを特徴とする。
また、請求項４の内燃機関の燃料蒸発ガス排出抑止装置では、請求項３において、前記漏れ判定手段は、前記圧力センサの検出値の変化が所定値以上の際に、前記燃料タンクに洩れなしと判定することを特徴とする。
また、請求項５の内燃機関の燃料蒸発ガス排出抑止装置では、請求項２において、前記漏れ判定手段は、前記燃料タンクに洩れなしと判定した後は、前記タンク開封鎖手段を閉として負圧発生手段が作動された状態で前記キャニスタの漏れ判定を実施することを特徴とする。
【発明の効果】
【００１０】
請求項１の発明によれば、キャニスタと燃料タンクの漏れ判定実施前に負圧発生手段を停止させてタンク開封鎖手段を閉から開とした際の圧力検出手段の検出値であるキャニスタの内圧変化に基づいて燃料タンクの漏れ判定を実施するようにしている。
従って、燃料タンク漏れ判定を実施して、燃料タンクに漏れが確認されない場合にはキャニスタと燃料タンクとの漏れ判定を省略し、キャニスタの漏れ判定のみを実施することで、漏れの部位を特定が可能であり、漏れ検出期間を短縮することができる。
【００１１】
また、圧力検出手段の検出値の変化から燃料タンクの漏れを判定するので、例えば、圧力検出手段に異常をきたし基準点（ゼロ点）がずれて正確な検出値が得られないような場合であっても、確実に燃料タンクの漏れ検出を行うことができる。
また、請求項２、４の発明によれば、圧力検出手段の検出値の変化が所定値以上の際に燃料タンクに洩れなしと判定しており、このように圧力検出手段の検出値の変化が所定値以上の場合には、タンク開封鎖手段が閉状態であったときに燃料タンク内が正圧または負圧が高い状態であったことが推定されるため、燃料タンクに漏れなしと判定することが可能となる。
【００１２】
また、請求項３の発明によれば、キャニスタの内圧を検出する圧力検出手段とは別に燃料タンク内の圧力を検出する圧力センサを設けることにより、燃料タンクの漏れ判定は、圧力検出手段と圧力センサとの二つで二重に判定されるので、燃料タンクの漏れ判定の確実性が向上する。
また、請求項５の発明によれば、燃料タンクに洩れなしと判定した後は、タンク開封鎖手段を閉として負圧発生手段が作動された状態でキャニスタの漏れ判定を実施するようにしており、このように燃料タンクに漏れがない場合には、その後キャニスタの漏れ判定のみを実施すれば、燃料タンク及びキャニスタの夫々の漏れ判定が可能となるので、燃料タンク及びキャニスタの漏れ検出期間を短縮することができる。
【図面の簡単な説明】
【００１３】
【図１】本発明に係る内燃機関の燃料蒸発ガス排出抑止装置の概略構成図である。
【図２】エバポレーティブリークチェックモジュールの内部構成及び作動を示す図である。
【図３】本発明の第１実施例に係るＥＣＵが実行する漏れ判定制御のフローチャートである。
【図４】本発明の第１実施例に係るタンク封鎖弁、ベントバルブ、パージソレノイドバルブ及び負圧ポンプの作動とキャニスタ圧力とタンク内圧の推移の一例を時系列で示す図である。
【図５】本発明の第１実施例に係るタンク封鎖弁、ベントバルブ、パージソレノイドバルブ及び負圧ポンプの作動とキャニスタ圧力とタンク内圧の推移の一例を時系列で示す図である。
【図６】本発明の第２実施例に係るタンク封鎖弁、ベントバルブ、パージソレノイドバルブ及び負圧ポンプの作動とキャニスタ圧力とタンク内圧の推移の一例を時系列で示す図である。
【図７】本発明の実施形態に係るタンク封鎖弁、ベントバルブ、パージソレノイドバルブ及び負圧ポンプの作動とキャニスタ圧力とタンク内圧の推移の一例を時系列で示す図である。
【発明を実施するための形態】
【００１４】
以下、本発明の実施の形態を図面に基づき説明する。
図１は、本発明に係る内燃機関の燃料蒸発ガス排出抑止装置の概略構成図である。また、図２は、エバポレーティブリークチェックモジュールの内部構成及び作動を示す図であり、図中（ａ）は、ベントバルブの非作動時を、図中（ｂ）は、ベントバルブの作動時をそれぞれ示す。また、図中矢印は、空気の流れ方向を示す。以下、内燃機関の燃料蒸発ガス排出抑制装置の構成を説明する。
【００１５】
本発明に係る内燃機関の燃料蒸発ガス排出抑制装置は、図示しない走行用モータ及びエンジン（内燃機関）を備え、どちらか一方或いは双方を用いて走行するハイブリット自動車に用いられるものである。
図１に示すように、本発明に係る内燃機関の燃料蒸発ガス排出抑制装置は、大きく車両に搭載されるエンジン１０と、燃料を貯留する燃料貯留部２０と、燃料貯留部２０で蒸発した燃料の蒸発ガスを処理する燃料蒸発ガス処理部３０と、車両の総合的な制御を行うための制御装置である電子コントロールユニット（以下、ＥＣＵという）（漏れ判定手段）４０とで構成されている。
【００１６】
エンジン１０は、吸気通路噴射型（Multi Point Injection：ＭＰＩ）の４サイクル直列４気筒型ガソリンエンジンである。エンジン１０には、エンジン１０の燃焼室内に空気を取り込む吸気通路１１が設けられている。また、吸気通路１１の下流には、エンジン１０の吸気ポート内に燃料を噴射する燃料噴射弁１２が設けられている。燃料噴射弁１２には、燃料配管１３が接続され、燃料を貯留する燃料タンク２１から燃料が供給される。
【００１７】
燃料貯留部２０は、燃料タンク２１と、燃料タンク２１への燃料注入口である燃料給油口２２と、燃料を燃料タンク２１から燃料配管１３を介して燃料噴射弁１２に供給する燃料ポンプ２３と、燃料タンク２１内の圧力を検出する圧力センサ２４と、燃料タンク２１から燃料蒸発ガス処理部３０への燃料の流出を防止する燃料カットオフバルブ２５及び給油時に燃料タンク２１内の液面を制御するレベリングバルブ２６とで構成されている。また、燃料タンク２１内で発生した燃料の蒸発ガスは、燃料カットオフバルブ２５よりレベリングバルブ２６を経由して、燃料蒸発ガス処理部３０に排出される。
【００１８】
燃料蒸発ガス処理部３０は、キャニスタ３１と、エバポレーティブリークチェックモジュール３２と、タンク封鎖弁（タンク開封鎖手段）３３と、パージソレノイドバルブ（連通路開閉手段）３４と、ベーパ配管（第１連通路）３５と、パージ配管（第２連通路）３６とで構成されている。
キャニスタ３１は、内部に活性炭を有している。また、キャニスタ３１には、燃料タンク２１内で発生した燃料蒸発ガス或いは活性炭に吸着した燃料蒸発ガスが流通可能なようにベーパ配管３５と、パージ配管３６とが接続されている。また、キャニスタ３１には、活性炭に吸着した燃料蒸発ガスを放出するときに外気を吸入する大気孔（連通孔）３１ａが設けられている。
【００１９】
図２に示すように、エバポレーティブリークチェックモジュール３２には、キャニスタ３１の大気孔３１ａに通じるキャニスタ側通路３２ａと、大気に通じる大気側通路３２ｂとが設けられている。大気側通路３２ｂには、負圧ポンプ（負圧発生手段）３２ｃを備えるポンプ通路３２ｄが連通している。エバポレーティブリークチェックモジュール３２には、また、ベントバルブ３２ｅとバイパス通路３２ｆとが設けられている。ベントバルブ３２ｅは、電磁ソレノイドを備え、当該電磁ソレノイドで駆動される。そして、ベントバルブ３２ｅは、電磁ソレノイドが無通電の状態（ＯＦＦ）でキャニスタ側通路３２ａと大気側通路３２ｂとを連通させる（図２（ａ））。また、ベントバルブ３２ｅは、電磁ソレノイドに外部から駆動信号が供給され通電状態（ＯＮ）となるとキャニスタ側通路３２ａとポンプ通路３２ｄとを連通させる（図２（ｂ））。バイパス通路３２ｆは、常時キャニスタ側通路３２ａとポンプ通路３２ｄとを導通させる通路である。そして、バイパス通路３２ｆには、小径（例えば、直径０．５ｍｍ）の基準オリフィス３２ｇが設けられている。また、ポンプ通路３２ｄの負圧ポンプ３２ｃとバイパス通路３２ｆの基準オリフィス３２ｇとの間には、ポンプ通路３２ｄ或いは基準オリフィス３２ｇ下流のバイパス通路３２ｆ内の圧力を検出する圧力センサ（圧力検出手段）３２ｈが設けられている。
【００２０】
タンク封鎖弁３３は、ベーパ配管３５の燃料タンク２１とキャニスタ３１との間に介装されている。そして、タンク封鎖弁３３は、電磁ソレノイドを備え、当該電磁ソレノイドで駆動される。また、タンク封鎖弁３３は、電磁ソレノイドが無通電の状態（ＯＦＦ）で閉弁状態となり、電磁ソレノイドに外部から駆動信号が供給され通電の状態（ＯＮ）となると開弁状態となる常時閉タイプの電磁弁である。そして、タンク封鎖弁３３は、電磁ソレノイドが無通電状態（ＯＦＦ）で閉弁状態であるとベーパ配管３５を封鎖し、電磁ソレノイドに外部から駆動信号が供給され通電状態（ＯＮ）で開弁状態であるとベーパ配管３５を開放する。即ち、タンク封鎖弁３３は、閉弁状態であれば燃料タンク２１を密閉状態に封鎖し、燃料タンク２１内で発生した燃料蒸発ガスのキャニスタ３１への流出を不可とし、開弁状態であれば燃料蒸発ガスのキャニスタ３１への流出を可能とする。
【００２１】
パージソレノイドバルブ３４は、パージ配管３６の吸気通路１１とキャニスタ３１との間に介装されている。そして、パージソレノイドバルブ３４は、電磁ソレノイドを備え、当該電磁ソレノイドで駆動される。また、パージソレノイドバルブ３４は、電磁ソレノイドが無通電の状態（ＯＦＦ）で閉弁し、電磁ソレノイドに外部から駆動信号が供給され通電の状態（ＯＮ）となると開弁状態となる常時閉タイプの電磁弁である。そして、パージソレノイドバルブ３４は、電磁ソレノイドが無通電状態（ＯＦＦ）で閉弁状態であるとパージ配管３６を封鎖し、電磁ソレノイドに外部から駆動信号が供給され通電状態で開弁状態であるとパージ配管３６を開放する。即ち、パージソレノイドバルブ３４は、閉弁状態であればキャニスタ３１よりエンジン１０への燃料蒸発ガスの流出を不可とし、開弁状態であればキャニスタ３１よりエンジン１０へ燃料蒸発ガスの流出を可能とする。
【００２２】
ＥＣＵ４０は、車両の総合的な制御を行うための制御装置であり、入出力装置、記憶装置（ＲＯＭ、ＲＡＭ、不揮発性ＲＡＭ等）、中央演算処理装置（ＣＰＵ）及びタイマ等を含んで構成される。
ＥＣＵ４０の入力側には、上記圧力センサ２４及び圧力センサ３２ｈが接続されており、これらのセンサ類からの検出情報が入力される。
【００２３】
一方、ＥＣＵ４０の出力側には、上記燃料噴射弁１２、燃料ポンプ２３、負圧ポンプ３２ｃ、ベントバルブ３２ｅ、タンク封鎖弁３３及びパージソレノイドバルブ３４が接続されている。
ＥＣＵ４０は、各種センサ類からの検出情報に基づいて、負圧ポンプ３２ｃ、ベントバルブ３２ｅ、タンク封鎖弁３３及びパージソレノイドバルブ３４の開閉を制御し、燃料貯留部２０及び燃料蒸発ガス処理部３０の漏れを判定し漏れの有無を検出するものである。
［第１実施例］
以下、このように構成された本発明の第１実施例に係るＥＣＵ４０での燃料タンク２１及びキャニスタ３１の漏れ判定制御について説明する。
【００２４】
図３は、ＥＣＵ４０が実行する漏れ判定制御のフローチャートである。また、図４、図５及び図７は、タンク封鎖弁３３、ベントバルブ３２ｅ、パージソレノイドバルブ３４及び負圧ポンプ３２ｃの作動とキャニスタ内圧とタンク内圧の推移の一例を時系列で示す図である。なお、図５中の二点鎖線は、燃料タンク２１内の圧力が正圧である場合を示す。また、図４、図５及び図７中の一点鎖線は、大気圧を示す。図４は、初期の燃料タンク２１の漏れ判定で暫定的に燃料タンクに漏れの可能性ありと判定され、燃料タンク２１とキャニスタ３１との漏れ判定を実施し、燃料タンク２１とキャニスタ３１共に漏れがない場合を、図５は、初期の燃料タンク２１の漏れ判定で燃料タンクに漏れなしと判定され、キャニスタ３１の漏れ判定を実施した場合を、図７は、初期の燃料タンク２１の漏れ判定で暫定的に燃料タンクに漏れの可能性ありと判定され、燃料タンク２１とキャニスタ３１との漏れ判定を実施し、キャニスタ３１に漏れなしと判定、即ち燃料タンク２１に漏れがある場合をそれぞれ示している。
【００２５】
図３に示すように、ステップＳ１０では、燃料タンク２１の漏れ判定を実施する。詳しくは、図４（ａ）及び図５（ａ）に示すように、まずベントバルブ３２ｅの電磁ソレノイドに外部から駆動信号を供給し通電状態（ＯＮ）として、図２（ｂ）のようにキャニスタ側通路３２ａとポンプ通路３２ｄとを連通させる。そして、次に図４（ｂ）及び図５（ｂ）に示すように、タンク封鎖弁３３の電磁ソレノイドに外部から駆動信号を供給し通電状態（ＯＮ）として開弁し、燃料タンク２１をキャニスタ３１へ開放する。この時に燃料タンク２１に漏れがなくタンク封鎖弁３３の開弁前に燃料タンク２１内の圧力が正圧或いは負圧で保持されていれば、キャニスタ内圧がタンク封鎖弁３３の開弁に伴い、図５（ｂ）のように正圧或いは負圧に変動する。一方、燃料タンク２１に漏れがある場合や燃料タンク２１に漏れがなく成り行きで燃料タンク２１の圧力が大気圧となっていると、図４（ｂ）のようにキャニスタ内圧及びタンク内圧は変動しない。これらによって、図５（ｂ）のようにキャニスタ内圧及びタンク内圧に変動があれば、燃料タンク２１の漏れなしと判定する。また、図４（ｂ）のようにキャニスタ内圧及びタンク内圧に変動が無ければ、暫定的に燃料タンク２１に漏れの可能性ありと判定する。
【００２６】
ステップＳ１２では、燃料タンク２１に漏れの可能性があるか、否かを判別する。判別結果が真（Ｙｅｓ）でステップＳ１０にて暫定的に燃料タンク２１に漏れの可能性ありと判定されていれば、ステップＳ１４に進む。また、判別結果が否（Ｎｏ）で燃料タンク２１に漏れなしと判定されていれば、ステップＳ２０に進む。
ステップＳ１４では、燃料タンク２１とキャニスタ３１の漏れ判定を行う。詳しくは、図４（ｄ）に示すようにベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。また、図４(ｄ)に示すようにタンク封鎖弁３３の電磁ソレノイドに外部から駆動信号の供給を停止し無通電状態（ＯＦＦ）として閉弁し、燃料タンク２１とキャニスタ３１との間のベーパ配管３５を封鎖し、更に負圧ポンプ３２ｃを作動させる。なお、この時に負圧ポンプ３２ｃと基準オリフィス３２ｇとの間のバイパス通路３２ｆに負圧を発生できれば良く、図７(ｃ)に示すようにタンク封鎖弁３３の電磁ソレノイドに外部から駆動信号を供給し通電状態（ＯＦＦ）として開弁し、燃料タンク２１をキャニスタ３１へ開放するようにしてもよい。そして圧力センサ３２ｈにて圧力を検出し、基準圧とする。次に図４（ｅ）に示すようにベントバルブ３２ｅを作動させ、キャニスタ側通路３２ａとポンプ通路３２ｄとを連通させる。そして、この時に圧力センサ３２ｈにて圧力を検出する。次に図４（ｆ）に示すように、タンク封鎖弁３３の電磁ソレノイドへの駆動信号の供給を停止し無通電状態（ＯＦＦ）として閉弁し、燃料タンク２１とキャニスタ３１との間を封鎖する。また、パージソレノイドバルブ３４の電磁ソレノイドに外部から駆動信号を供給し通電状態して開弁し、キャニスタ３１を吸気通路１１とを連通する。次に図４（ｇ）に示すようにベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。またパージソレノイドバルブ３４の電磁ソレノイドへの駆動信号の供給を停止し無通電状態として閉弁し、キャニスタ３１と吸気通路１１との間のパージ配管３６を封鎖する。この時に圧力センサ３２ｈにて圧力を検出し、再度基準圧とする。そして、図４のように図４（ｅ）で検出した圧力が図４（ｇ）にて再度検出した基準圧よりも小さければ、即ち基準圧よりも負圧が大きければ、燃料タンク２１とキャニスタ３１とのいずれにも漏れなしと判定する。また、図７のように図７（ｄ）で検出した圧力が図７（ｆ）にて再度検出した基準圧よりも大きければ、即ち基準圧よりも負圧が小さければ、基準オリフィス３２ｇの内径よりも大きな穴があると判定する。したがって燃料タンク２１とキャニスタ３１とのいずれかに漏れありと判定する。
【００２７】
ステップＳ１６では、燃料タンク２１とキャニスタ３１のいずれかに漏れがあるか、否かを判別する。判別結果が真（Ｙｅｓ）でステップＳ１４にて燃料タンク２１とキャニスタ３１のいずれかに漏れありと判定されていれば、ステップＳ１８に進む。また、判別結果が否（Ｎｏ）で燃料タンク２１とキャニスタ３１のいずれにも漏れなしと判定されていれば、本ルーチンを抜ける。
【００２８】
ステップＳ１８では、キャニスタ３１の漏れ判定を行う。詳しくは、図７（ｇ）に示すように、タンク封鎖弁３３の電磁ソレノイドへの駆動信号の供給を停止し無通電状態（ＯＦＦ）として閉弁し、燃料タンク２１とをキャニスタ３１との間を封鎖する。またベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。またパージソレノイドバルブ３４の電磁ソレノイドへの駆動信号の供給を停止し無通電状態として閉弁し、キャニスタ３１と吸気通路１１との間を封鎖する。更に負圧ポンプ３２ｃを停止させる。次に図７（ｈ）に示すようにベントバルブ３２ｅを作動させ、キャニスタ側通路３２ａとポンプ通路３２ｄとを連通させる。また負圧ポンプ３２ｃを作動させる。そして、この時に圧力センサ３２ｈにて圧力を検出する。次に図７（ｉ）に示すように、ベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。またパージソレノイドバルブ３４の電磁ソレノイドに外部から駆動信号を供給し通電状態として開弁し、キャニスタ３１と吸気通路１１とを連通する。次に図７（ｊ）に示すようにパージソレノイドバルブ３４の電磁ソレノイドへの駆動信号の供給を停止し無通電状態として閉弁し、キャニスタ３１と吸気通路１１との間を封鎖する。この時に圧力センサ３２ｈにて圧力を検出し、再度基準圧とする。そして、図７のように図７（ｈ）で検出した圧力が図７（ｊ）にて再度検出した基準圧よりも小さければ、即ち基準圧よりも負圧が大きければ、キャニスタ３１に漏れなしと判定する。そして、ステップＳ１４にて燃料タンク２１とキャニスタ３１とのいずれかに漏れありと判定されているので燃料タンク２１に漏れありと判定する。また、基準圧より圧力センサ３２ｈにて検出された圧力が大きければ、即ち基準圧よりも負圧が小さければ、基準オリフィス３２ｇの内径よりも大きな穴があると判定する。したがってキャニスタ３１に漏れありと判定する。そして、本ルーチンを抜ける。
【００２９】
ステップＳ２０では、キャニスタ３１の漏れ判定を行う。詳しくは、図５（ｃ）に示すようにベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。また、タンク封鎖弁３３の電磁ソレノイドへの駆動信号の供給を停止し無通電状態（ＯＦＦ）として閉弁し燃料タンク２１とキャニスタ３１との間を封鎖する。更に負圧ポンプ３２ｃを作動させる。そして圧力センサ３２ｈにて圧力を検出し、基準圧とする。次に図５（ｄ）に示すようにベントバルブ３２ｅを作動させ、キャニスタ側通路３２ａとポンプ通路３２ｄとを連通させる。そして、この時に圧力センサ３２ｈにて圧力を検出する。次に図５（ｅ）に示すように、パージソレノイドバルブ３４の電磁ソレノイドに外部から駆動信号を供給し通電状態として開弁し、キャニスタ３１と吸気通路１１とを連通する。次に図５（ｆ）に示すように、ベントバルブ３２ｅの電磁ソレノイドへの駆動信号の供給を停止し無通電状態（ＯＦＦ）として、図２（ａ）のようにキャニスタ側通路３２ａと大気側通路３２ｂとを連通させる。また、パージソレノイドバルブ３４の電磁ソレノイドへの駆動信号の供給を停止し無通電状態として閉弁し、キャニスタ３１と吸気通路１１との間を封鎖する。この時に圧力センサ３２ｈにて圧力を検出し、再度基準圧とする。そして、図５（ｄ）で検出した圧力が図５（ｆ）にて再度検出した基準圧よりも小さければ、即ち基準圧よりも負圧が大きければ、キャニスタ３１に漏れなしと判定する。また、基準圧より圧力センサ３２ｈにて検出された圧力が大きければ、即ち基準圧よりも負圧が小さければ、基準オリフィス３２ｇの内径よりも大きな穴があると判定する。したがってキャニスタ３１に漏れありと判定する。そして、本ルーチンを抜ける。
【００３０】
このように、本発明の第１実施例に係る内燃機関の燃料蒸発ガス排出抑止装置では、図４及び図５に示すように初期の燃料タンク２１の漏れ判定時にタンク封鎖弁３３とベントバルブ３２ｅとを作動させる。ここで、例えば、燃料タンク２１に漏れがない密閉状態でタンク内圧が正圧或いは負圧に保持されているような場合には、図５（ｂ）のようにタンク封鎖弁３３とベントバルブ３２ｅの作動時にキャニスタ内圧或いはタンク内圧が変動するので、燃料タンク２１の密閉を確認することができ燃料タンク２１に漏れなしと判定することができる。そして、図５（ｃ）から図５（ｆ）のようにベントバルブ３２ｅ及び負圧ポンプ３２ｃを作動させキャニスタ３１の漏れ判定を実施する。
【００３１】
また、燃料タンク２１に漏れがありタンク内圧が大気圧となっているような場合には、図４（ｂ）のようにタンク封鎖弁３３とベントバルブ３２ｅの作動時にキャニスタ内圧或いはタンク内圧が変動しないので、燃料タンク２１に漏れありと判定することができる。そして、図４（ｄ）からの燃料タンク２１とキャニスタ３１の漏れ判定を実施し、ここで漏れありと判定されると図７（ｇ）からのキャニスタ３１の漏れ判定を実施し、漏れ部位が燃料タンク２１或いはキャニスタ３１であるかの特定を行う。
【００３２】
従って、漏れ判定の初期に燃料タンク２１の漏れ判定を実施しているので、燃料タンク２１の漏れがないと確認されると、燃料タンク２１とキャニスタ３１での漏れ判定を省略することができるので、漏れ検出期間を短縮することができる。
また、圧力センサ３２ｈの検出値の変化から燃料タンク２１の漏れを判定するので、例えば、圧力センサ３２ｈに異常をきたし基準点（ゼロ点）がずれて正確な検出値が得られないような場合であっても、確実に燃料タンク２１の漏れ検出を行うことができる。
【００３３】
また、燃料タンク２１に洩れなしと判定した後は、タンク封鎖弁３３を閉として負圧ポンプ３２ｃが作動された状態でキャニスタ３１の漏れ判定を実施するので、燃料タンク２１に漏れがない場合には、その後キャニスタ３１の漏れ判定のみを実施すれば、燃料タンク及びキャニスタの夫々の漏れ判定が可能となり、燃料タンク２１及びキャニスタ３１の漏れ検出期間を短縮することができる。
【００３４】
また、燃料タンクの漏れ判定時にタンク封鎖弁３３を作動させているので、キャニスタ内圧或いはタンク内圧が変動することにより、タンク封鎖弁３３の正常判定を行うことができる。
［第２実施例］
以下、本発明の第２実施例に係る内燃機関の燃料蒸発ガス排出抑止装置について説明する。
【００３５】
第２実施例では、上記第１実施例に対して、図３に示すＥＣＵ４０が実行する漏れ判定制御のフローチャートのステップＳ１０での燃料タンク２１の漏れ判定方法において、ベントバルブ３２ｅを開放している点が異なっており、以下にＥＣＵ４０での燃料タンク２１の漏れ判定に付いて説明する。
図６は、タンク封鎖弁３３、ベントバルブ３２ｅ、パージソレノイドバルブ３４、及び負圧ポンプ３２ｃの作動とキャニスタ内圧とタンク内圧の推移の一例を時系列で示す図である。なお、図中の二点鎖線は燃料タンク２１内の圧力が正圧である場合を、一点鎖線は大気圧をそれぞれ示す。
【００３６】
図３に示すように、ステップＳ１０では、燃料タンク２１の漏れ判定を実施する。詳しくは、図６の（ａ’）に示すように、ベントバルブ３２ｅ、タンク封鎖弁３３、パージソレノイドバルブ３７及び負圧ポンプ３２ｃは、作動させない。次に図６の（ｂ’）に示すようにタンク封鎖弁３３の電磁ソレノイドに外部から駆動信号を供給し通電状態（ＯＮ）として開弁し、燃料タンク２１をキャニスタ３１へ開放する。即ち、燃料タンク２１内が大気に開放される。この時に燃料タンク２１に漏れがなくタンク封鎖弁３３の開弁前に燃料タンク２１内の圧力が正圧或いは負圧で保持されていれば、タンク封鎖弁３３の開弁に伴いタンク内圧が、図６（ｂ’）のように大気圧に変動する。一方、燃料タンク２１に漏れがある場合や燃料タンク２１に漏れがなく成り行きで燃料タンク２１の圧力が大気圧であれば、第１実施例と同様にタンク内圧は変動しない。これらによって、タンク内圧に変動があれば、燃料タンク２１の漏れなしと判定する。また、タンク内圧に変動が無ければ、暫定的に燃料タンク２１に漏れの可能性ありと判定する。
【００３７】
このように、本発明の第２実施例に係る内燃機関の燃料蒸発ガス排出抑止装置では、図６に示すように初期の燃料タンク２１の漏れ判定時にタンク封鎖弁３３を作動させており、例えば、図６（ｂ’）のように燃料タンク２１に漏れがない密閉状態でタンク内圧が正圧或いは負圧に保持されているような場合には、タンク封鎖弁３３の作動時にタンク内圧が大きく変動するので、燃料タンク２１の密閉を確認することができ燃料タンク２１に漏れなしと判定する。
【００３８】
従って、タンク封鎖弁３３の作動のみで燃料タンク２１の漏れ判定を実施しており、ベントバルブ３２ｅを作動させる必要がなく第１実施例に対して一工程減らすことができるので、漏れ検出期間を短縮することができる。
また、燃料タンクの漏れ判定時にタンク封鎖弁３３を作動させているので、キャニスタ内圧或いはタンク内圧が変動することにより、タンク封鎖弁３３の故障判定を行うことができる。
【００３９】
以上で発明の実施形態の説明を終えるが、本発明の形態は上記実施形態に限定されるものではない。
上記実施形態では、圧力センサ３２ｈにて、基準オリフィス３２ｇにて発生する圧力を検出し基準圧としているが、これに限定されるものではなく、例えば、予めＥＣＵ４０に所定圧力を記憶させておき、当該所定値と検出値を比較して漏れを判定するようにしても良い。
【００４０】
また、上記実施形態では、燃料タンク２１の漏れ判定をキャニスタ内圧及びタンク内圧の変動の有無のみで判定するようにしているが、これに限定されるものではなく、キャニスタ内圧及びタンク内圧の変動のみでなく変動量が所定値以上で有るか否かで、変動量が所定値以上であれば燃料タンク２１に漏れない、変動量が所定値未満であれば燃料タンク２１に漏れありと判定するようにしても良く、これにより、変動のみでなく変動量で漏れ判定することができるので正確に漏れの有無を判定することができる。
【符号の説明】
【００４１】
１０  エンジン（内燃機関）
２１  燃料タンク
２４  圧力センサ
３１  キャニスタ
３２  エバポレーティブリークチェックモジュール
３２ｃ  負圧ポンプ（負圧発生手段）
３２ｅ  ベントバルブ
３２ｈ  圧力センサ（圧力検出手段）
３３  タンク封鎖弁（タンク開封鎖手段）
３４  パージソレノイドバルブ（連通路開閉手段）
３５  ベーパ配管（第１連通路）
３６  パージ配管（第２連通路）
４０  ＥＣＵ（漏れ判定手段）
【図１】
0005704338.tif 000002
【図２】
0005704338.tif 000003
【図３】
0005704338.tif 000004
【図４】
0005704338.tif 000005
【図５】
0005704338.tif 000006
【図６】
0005704338.tif 000007
【図７】
0005704338.tif 000008